【事件の表示】
　特許第３２７２２１７号「乾燥機」の請求項１ないし６に係る特許に対する特許異議の申立てについて、次のとおり決定する。
【結　論】
　訂正を認める。
　特許第３２７２２１７号の請求項１ないし３に係る特許を取り消す。
【理　由】
１．手続の経緯
　特許第３２７２２１７号（請求項の数６）に係る発明についての出願は、平成７年１０月２４日に特許出願され、平成１４年１月２５日にその発明について特許権の設定登録がなされ、その後、全請求項に係る特許について、異議申立人・株式会社日立製作所より特許異議の申立がなされ、平成１５年５月１２日付けで取消しの理由が通知され、その指定期間内である同年７月１８日に訂正請求がされたものである。
　
２．訂正の適否についての判断
（１）訂正の内容
　ア．訂正事項ａ
　　特許請求の範囲の請求項１、２及び６を削除する。
　イ．訂正事項ｂ
　　特許請求の範囲の請求項３において、
「乾燥行程の後期に達した時点からモータを逆転させることと正転させることとを交互に行なう運転のコース」とあるを、
「乾燥行程の後期に達した時点からモータを逆転させることと正転させることとを
逆転時間及び正転時間をもって
　ウ．訂正事項ｃ
　　特許請求の範囲の請求項４、５において、
「請求項３記載の乾燥機」とあるを、
「請求項
１
　エ．訂正事項ｄ
　　明細書の段落【０００７】、【０００８】、【０００９】及び【００４９】中の全ての記載内容を削除する。
　オ．訂正事項ｅ
　　明細書の段落【０００５】において、
「従ってその目的は、第１に、デリケートな衣類を傷ませずに乾燥させることのできる乾燥機を提供し、第２に、そのほか普通の衣類を傷ませずに乾燥させることのできる乾燥機を提供するにある。」とあるを、
「従ってその目的
は、衣
　カ．訂正事項ｆ
　　明細書の段落【０００６】において、
「本発明の乾燥機においては、第１に、ドラム内にファンとヒータとで生成した温風を供給して被乾燥物を乾燥させるようにしたものにあって、・・・一方向クラッチとを具備すると共に、モータを逆転させることと正転させることの両方を交互に行なう運転のコース」とあるを、
「本発明の乾燥機において
は、ド
モータを正転させた後、乾燥行程の後期に達した時点からモータを逆転させることと正転させることとを逆転時間及び正転時間をもって
　キ．訂正事項ｇ
　　明細書の段落【００１０】において、
「この第２の手段でも、・・・乾燥行程の後期に達した時点からモータを逆転させることと正転させることとを交互に行なう運転のコース」とあるを、
「この
手段によれば
逆転時間及び正転時間をもって
　ク．訂正事項ｈ
　　明細書の段落【００４８】において、
「請求項１の乾燥機によれば、被乾燥物にドラムの回転による撹拌の機械力を過度に与えず、もって、特にデリケートな衣類を傷ませずに乾燥させることができる。しかも、この場合、モータはドラムの回転とファンの回転とに共通の１個を要するままで、それぞれに専用の２個を要することがないので、コストも安く抑えることができる。」とあるを、
「請求項１の乾燥機によれば、被乾燥物にドラムの回転による撹拌の機械力
が最初連続的に及ぶものの、その後に間欠的に及ぶから、普通の衣類を充分に、しかも、傷ませずに乾燥させることができる。
　ケ．訂正事項ｉ
　　明細書の段落【００５０】において、
「請求項４の乾燥機によれば、衣類を実際の乾燥状況に合わせてより確実に傷ませずに乾燥させることができる。請求項５の乾燥機でも、衣類を実際の乾燥状況に合わせてより確実に傷ませずに乾燥させることができる。」とあるを、
「請求項
２
３
　
（２）訂正の目的の適否、新規事項の有無及び拡張・変更の存否
　上記訂正事項ａは、請求項の削除であるから、特許請求の範囲の減縮を目的とした明細書の訂正に該当する。
　また、上記訂正事項ｂ及びｃは、正逆転を交互に行なう運転コースに関し、明細書の段落【００３８】の「モータ１１の正転時間は逆転時間より短くし」なる記載に基いて限定すると共に、上記訂正事項ａとの整合を図るものであるから、特許請求の範囲の減縮及び明りょうでない記載の釈明を目的とした明細書の訂正に該当する。
　さらに、上記訂正事項ｄないしｉは、上記訂正事項ａないしｃとの整合を図るものであるから、明りょうでない記載の釈明を目的とした明細書の訂正に該当する。
　そして、上記いずれの訂正事項も、新規事項の追加に該当せず、「衣類を傷ませずに乾燥させる」という課題に変更を及ぼすものでもないから、実質上特許請求の範囲を拡張し、又は変更するものではない。
　
（３）むすび
　以上のとおりであるから、上記訂正は、特許法第１２０条の４第２項及び同条第３項において準用する同法第１２６条第２項及び第３項の規定に適合するので、当該訂正を認める。
　
３．特許異議の申立てについての判断
（１）本件発明
　上記２．で示したように上記訂正が認められるから、本件の請求項１ないし３に係る発明（以下、「本件発明１ないし３」という。）は、上記訂正に係る訂正明細書の特許請求の範囲の請求項１ないし３に記載した事項により特定される次のとおりのものである。
［本件発明１］（請求項１）
　ドラム内にファンとヒータとで生成した温風を供給して被乾燥物を乾燥させるようにしたものにおいて、前記ドラムとファンとを回転駆動する共通のモータと、このモータから前記ドラムへ至る伝動経路中に設けられて該ドラムにモータの逆転を伝えず正転のみを伝える一方向クラッチとを具備すると共に、モータを正転させた後、乾燥行程の後期に達した時点からモータを逆転させることと正転させることとを逆転時間及び正転時間をもって交互に行なう運転のコースを実行する制御をする制御装置を具備したことを特徴とする乾燥機。
［本件発明２］（請求項２）
　運転のコースでモータを逆転させることと正転させることとを交互に行なうように切換える時点を被乾燥物の乾燥度が９０［％］付近に達したところに定めたことを特徴とする請求項１記載の乾燥機。
［本件発明３］（請求項３）
　運転のコースでモータを逆転させることと正転させることとを交互に行なうように切換える時点をドラム内の温度が６０［℃］付近に達したところに定めたことを特徴とする請求項１記載の乾燥機。
　
（２）引用刊行物に記載された発明
　ア．当審が通知した取消しの理由で引用した刊行物１（特開平５−９２１００号公報、異議申立人の提出した甲第１号証）には、衣類乾燥機に関し図面と共に以下の事項が記載されている。
・「図４に示すように、乾燥用空気ケーシング26は、従来と同様にモータ３により駆動伝達軸23およびファンベルト８を介して駆動され、モータ３の正逆回転にともなって回転される。一方、回転ドラム２をファンベルト４を介して回転させるファンプーリ36とモータ３の駆動伝達軸23との間には一方向クラッチ34が介装され、この一方向クラッチ34により回転ドラム２はモータ３が所定の一方向（この実施例においては正回転方向）に駆動されたときだけ回転されるようになっている。なお、図４において、35はファンベルト８を介して乾燥用空気ケーシング９を回転させるファンプーリである。」（第４頁段落【００２７】）
・「次に動作を説明する。今、モータ３が衣類乾燥機の正面からみて右方向に回転（正回転）しているとする。このとき、一方向クラッチ34は連結状態となり、従来の乾燥機と同様に、回転ドラム２および熱交換ファン７との両者が回転駆動される。」（同頁段落【００２８】）
・「次にこのモータ３を逆回転（左回転）させると、熱交換ファン７は上記と同様に駆動されるが、回転ドラム２は一方向クラッチ34の働きにより駆動されない。すなわち、この場合は、熱交換ファン７は作動しているが回転ドラム２は静止している状態となる。」（同頁段落【００２９】）
・「このように、モータ３を正逆回転させると熱交換ファン７は常時回転されて送風機能が維持されながら、モータ３の逆回転時には回転ドラム２が静止されることとなる。すなわち、モータ３を適宜逆回転させることにより、ニット衣類を最適状態で乾燥させることができる。」（同頁段落【００３０】）
・「この点について詳細に説明する。一般に、通常乾燥においては、回転ドラム２を回転させ、衣類にムラがなく乾燥用空気（加熱空気）をあてて乾燥ムラをなくするようにしている。しかし、湿ったニット衣類に木綿などの通常衣類と同様の回転、すなわち機械力を与えるとニット衣類は直ちにフェルト化して収縮してしまう。そこでこの対策として、乾燥物の量（ニット衣類）を減らし、ひとつは回転ドラム２を断続的に回転させることで、ニット衣類へ与える機械力を低減するものである。ただし、回転ドラム２の停止時も熱交換ファン７を常時回転させて送風機能を働かさせている。」（同頁段落【００３１】）
・また、第４図には、回転ドラム２と熱交換ファン７とを回転駆動する共通のモータ３を備え、回転ドラム２内に熱交換ファン７とヒータ６とで生成した温風を供給して衣類を乾燥させるようにした衣類乾燥機が示されている。
　
　これらの記載事項及び図示内容を総合すれば、刊行物１には、以下のとおりの発明が記載されているものと認められる。
「回転ドラム２内に熱交換ファン７とヒータ６とで生成した温風を供給して衣類を乾燥させるようにしたものにおいて、前記回転ドラム２と熱交換ファン７とを回転駆動する共通のモータ３と、このモータ３の駆動伝達軸23と回転ドラム２を回転させるファンプーリ36との間に介装されて該回転ドラム２にモータ３が正回転方向に駆動されたときだけ連結状態となる一方向クラッチ３４とを具備すると共に、モータ３を正逆回転させると熱交換ファン７は正逆転しながら常時運転され、回転ドラム２は断続的に回転するように運転される衣類乾燥機。」（以下、「引用発明１」という。）
　
　イ．同じく引用した刊行物２（特開平７−１７１３００号公報、同甲第２号証）には、衣類乾燥機に関し図面と共に以下の事項が記載されている。
・「本発明は上述の事情に鑑みてなされたものであり、従ってその目的は、乾燥時間の短縮化を図り、併せてコストの低廉化をも図り得る衣類乾燥機を提供し、加えて、より安全に使用し得る衣類乾燥機を提供すると共に、被乾燥衣類の傷み，縮みを少なく留めることもできる衣類乾燥機を提供するにある。」（第２頁段落【０００４】）
・「運転が開始されると、マイクロコンピュータ２９は、図１に示すように、ヒータ２８（第１のヒータ２８ａ及び第２のヒータ２８ｂ）に通電すると共に、モータ１１に正の回転（正転）方向に通電する（ステップＳ１）。」（第４頁段落【００２２】）
・「すると、モータ１１は、プーリ１５からベルト１６を介してドラム４を正の方向に回転させ、プーリ１２からベルト１３及びプーリ１４を介してファン１０も正の方向に回転させる。そして、そのファン１０の回転により、ドラム４内の空気がドラム４の排気口２２からケーシング９の吸気口２１，ケーシング９内前半部，吐気口２４，連結ダクト２５，ヒータダクト２６を順に通してドラム４内に戻される。・・・しかして、その除湿された空気は上記ヒータダクト２６を通る過程で、ヒータ２８に熱せられて温風と化し、ドラム４内に供給されて被乾燥衣類（図示せず）の乾燥に供する。」（同頁段落【００２３】）
・「このように乾燥運転が開始された後、マイクロコンピュータ２９は、温度センサ３２からの温度検知信号により、ドラム４内から排出される温風の検知温度ｔが第１の設定値である例えば７０［℃］に達したか否かの判断をする（ステップＳ２）。ここで、検知温度ｔが７０［℃］に達していないと判断されれば、電極３４から検知回路３５を介した乾燥度検知信号により被乾燥衣類の乾燥度が所定値に達したか否かの判断をし（ステップＳ３）、ここでも達していないと判断されれば、ステップＳ２に戻る。」（同頁段落【００２４】）
・「又、ステップＳ２で、検知温度ｔが７０［℃］に達したと判断されれば、モータ１１を断電し（ステップＳ４）、ファン１０及びドラム４が回転を完全に停止するのを見越した時間例えば１０秒が経過したか否かの判断をして（ステップＳ５）、経過したと判断されたところで、モータ１１を逆の回転（逆転）方向に通電する（ステップＳ６）。」（同頁段落【００２５】）
・「よって、この後、マイクロコンピュータ２９が、温度センサ３２からの温度検知信号により、ドラム４内から排出される温風の検知温度ｔが第１の設定値より低い第２の設定値例えば６０［℃］に達したか否かの判断をしたところ（ステップＳ７）では、まもなく達したと判断されるもので、達しないと判断されるうちは、検知温度ｔが第１の設定値より高い第３の設定値例えば７２［℃］に達したか否かの判断をし（ステップＳ８）、ここでも達しないと判断されれば、ステップＳ７に戻る。」（同頁〜第５頁段落【００２７】）
・「一方、ステップＳ７で、順当に６０［℃］に達したと判断された場合、マイクロコンピュータ２９は、次にモータ１１を断電し（ステップＳ１１）、ステップＳ５同様にファン１０及びドラム４が回転を完全に停止するのを見越した例えば１０秒の時間が経過したか否かの判断をして（ステップＳ１２）、経過したと判断されたところで、モータ１１を正の回転（正転）方向に通電する（ステップＳ１３）。」（第５頁段落【００２９】）
・「モータ１１が正転されれば、ファン１０も正転するので、ドラム４内に供給される温風の風量が増加して、供給される総熱量が増加し、ドラム４内の温度は上昇する。よって、この後、ステップＳ２に戻ったところでは、まもなく検知温度ｔが７０［℃］に達したと判断されるもので、以後、上述のステップＳ４以降の作動を繰返す。図４はこのときの温度の変化を表わしている。」（同頁段落【００３０】）
・また、第４図には、モータを正転させた後に、排気温度が７０［℃］に達した時点から、モータを逆転させることと正転させることとを排気温度（７０［℃］と６０［℃］）に基いて交互に行なう運転がなされるように制御される態様が示されている。
　
　これらの記載事項及び図示内容を総合すれば、刊行物２には、以下のとおりの発明が記載されているものと認められる。
「モータを正転させた後に、排気温度が例えば７０［℃］に達した時点から、モータを逆転させることと正転させることとを排気温度に基いて交互に行なう運転がなされるように制御される衣類乾燥機。」（以下、「引用発明２」という。）
　
（３）対比・判断
　ア．本件発明１について
　　本件発明１と引用発明１とを対比すると、後者における「回転ドラム２」がその作用・機能からみて前者における「ドラム」に相当し、以下同様に、「熱交換ファン７」が「ファン」に、「衣類」が「被乾燥物」に、「衣類乾燥機」が「乾燥機」に、それぞれ相当している。
　また、引用発明１における「モータ３の駆動伝達軸23と回転ドラム２を回転させるファンプーリ36との間に介装されて該回転ドラム２にモータ３が正回転方向に駆動されたときだけ連結状態となる一方向クラッチ３４」は、本件発明１の「モータからドラムへ至る伝動経路中に設けられて該ドラムにモータの逆転を伝えず正転のみを伝える一方向クラッチ」に相当する。
　さらに、引用発明１における「モータ３を正逆回転させると熱交換ファン７は正逆転しながら常時運転され、回転ドラム２は断続的に回転するように運転される」態様は、本件発明１における「モータを正転させた後、モータを逆転させることと正転させることとを交互に行なう運転のコース」に相当すると共に、引用発明１においても、「モータ３を正逆回転させる」際には当然「正転時間」と「逆転時間」を伴うものであり、引用発明１における前記運転の態様とするためには、そのような運転を実行し制御する制御装置を有しているものと捉えることができるため、結局、引用発明１は「モータを正転させた後、モータを逆転させることと正転させることとを逆転時間及び正転時間をもって交互に行なう運転のコースを実行する制御をする制御装置を具備した」ものであるといえる。
　したがって、両者は、
「ドラム内にファンとヒータとで生成した温風を供給して被乾燥物を乾燥させるようにしたものにおいて、前記ドラムとファンとを回転駆動する共通のモータと、このモータから前記ドラムへ至る伝動経路中に設けられて該ドラムにモータの逆転を伝えず正転のみを伝える一方向クラッチとを具備すると共に、モータを正転させた後、モータを逆転させることと正転させることとを逆転時間及び正転時間をもって交互に行なう運転のコースを実行する制御をする制御装置を具備した乾燥機」において一致し、次の点で相違している。
（相違点）
　「モータを正転させた後」であって「モータを逆転させることと正転させることとを交互に行なう運転のコースを実行する」時期に関し、本件発明１が、「乾燥行程の後期に達した時点から」とするものであるのに対し、引用発明１は、かかる時期の特定がなされていない点。
　以下、上記相違点について検討する。
　引用発明２は、「モータを正転させた後に、排気温度が例えば７０［℃］に達した時点から、モータを逆転させることと正転させることとを交互に行なう運転がなされるように制御される」構成を備えることにより、乾燥時間の短縮化を図ったものである。ここで、排気温度とはドラム内の温度に対応するものと捉えることができ、しかも、７０［℃］は乾燥行程の初期の時点の温度である室温（例えば２０［℃］）に比して相当高い温度であるから、引用発明２において、「排気温度が例えば７０［℃］に達した時点」とは、ドラム内における衣類の乾燥行程が相当程度進んだ状態を表しているものといえる。
　さらに、「乾燥行程の後期に達した時点から」との制御条件を有する本件発明１を引用する本件発明３に「ドラム内の温度が６０［℃］付近に達した」との制御条件が含まれていることを加味すれば、引用発明２も、「乾燥行程の後期に達した時点から」との制御条件を開示しているものと捉えることができる。
　引用発明１と引用発明２とは、衣類乾燥機という同一の技術分野に属するものであり、乾燥時間の短縮化という当然追求すべき共通の課題を有するものであるから、かかる課題の下に、引用発明１において、「モータを正転させた後」であって「モータを逆転させることと正転させることとを交互に行なう運転のコースを実行する」時期として、引用発明２が開示する制御条件を適用し、「乾燥行程の後期に達した時点から」とする程度のことは、当業者が容易に想到し得たものというべきである。
　そして、衣類の傷み防止の効果については、ドラムを断続回転させる引用発明１が奏する効果であるから、本件発明１により奏される全体的な効果も、引用発明１及び２から当業者が予測しうる範囲内のものである。
　したがって、本件発明１は、上記刊行物１及び２に記載の発明に基いて当業者が容易に発明をすることができたものというべきである。
　
　イ．本件発明２について
　　本件発明２は、本件発明１において「運転のコースでモータを逆転させることと正転させることとを交互に行なうように切換える時点を被乾燥物の乾燥度が９０［％］付近に達したところに定めた」とする構成を特定したものである。
　これは、本件発明１における「乾燥行程の後期に達した時点」を「被乾燥物の乾燥度」という指標に基いて特定しようとしたものと捉えることができる。
　しかしながら、衣類乾燥機において、乾燥行程の進行度を示す際に、被乾燥物の乾燥度を用いることは周知慣用の技術手段であり（必要であれば、特開平６−２７７３９９号公報、特開平５−１３１０９２号公報、特開平７−１７８２９３号公報参照。）、乾燥行程が進み乾燥度が高まって、被乾燥衣類から出る湿気が少なくなる（水分蒸発量が減少することに伴って、蒸発時に奪われる蒸発潜熱の総量が減少する）と、ドラム内の温度が上昇し、衣類の痛みや縮みが発生するようになることも良く知られているところであるから、引用発明１に引用発明２が開示する制御条件を適用するに際し、上記の「切換える時点」を「被乾燥物の乾燥度」という指標に基いて特定することは当業者であれば適宜なし得るところであり、乾燥度が９０［％］付近とする数値自体は当業者が実験的に最適な状態が得られるものとして必要に応じて適宜採択し得る設計的事項にすぎない。
　したがって、上記「ア．」での検討内容を踏まえれば、本件発明２は、上記刊行物１及び２に記載の発明並びに周知技術に基いて当業者が容易に発明をすることができたものというべきである。
　
　ウ．本件発明３について
　　本件発明３は、本件発明１において「運転のコースでモータを逆転させることと正転させることとを交互に行なうように切換える時点をドラム内の温度が６０［℃］付近に達したところに定めた」とする構成を特定したものである。
　これは、本件発明１における「乾燥行程の後期に達した時点」を「ドラム内の温度」という指標に基いて特定しようとしたものと捉えることができる。
　しかしながら、上記「ア．」で検討したように、引用発明２は、モータを逆転させることと正転させることとを交互に行なう運転がなされる時点を、ドラム内の温度が例えば７０［℃］に達した時点からとする制御条件を開示しているものであり、また、上記「イ．」で検討したように、乾燥行程が進み、被乾燥衣類から出る湿気が少なくなると、ドラム内の温度が上昇し、衣類の痛みや縮みが発生するようになることも良く知られているところであるから、引用発明１に引用発明２が開示する制御条件を適用するに際し、例えば７０［℃］としていたドラム内の温度を６０［℃］付近と改変して上記特定された構成とする程度のことは、当業者が実験的に最適な状態が得られるものとして必要に応じて適宜採択し得る設計変更にすぎない。
　したがって、上記「ア．」及び「イ．」での検討内容を踏まえれば、本件発明３も、上記刊行物１及び２に記載の発明並びに周知技術に基いて当業者が容易に発明をすることができたものというべきである。
　
（４）むすび
　以上のとおり、本件発明１ないし３は、上記刊行物１及び２に記載された発明並びに周知技術に基いて当業者が容易に発明をすることができたものであるから、本件発明１ないし３についての特許は、特許法第２９条第２項の規定に違反してなされたものであり、特許法第１１３条第２号に該当し、取り消されるべきものである。
　よって、結論のとおり決定する。
【異議決定日】
平成１６年４月２３日（２００４．４．２３）
【訂正の要旨】
審決（決定）の【理由】欄参照。
（５４）【発明の名称】
乾燥機
（５７）【特許請求の範囲】
　【請求項１】　ドラム内にファンとヒータとで生成した温風を供給して被乾燥物を乾燥させるようにしたものにおいて、前記ドラムとファンとを回転駆動する共通のモータと、このモータから前記ドラムへ至る伝動経路中に設けられて該ドラムにモータの逆転を伝えず正転のみを伝える一方向クラッチとを具備すると共に、モータを正転させた後、乾燥行程の後期に達した時点からモータを逆転させることと正転させることとを
逆転時間及び正転時間をもって
　【請求項２】　運転のコースでモータを逆転させることと正転させることとを交互に行なうように切換える時点を被乾燥物の乾燥度が９０［％］付近に達したところに定めたことを特徴とする
請求項１
　【請求項３】　運転のコースでモータを逆転させることと正転させることとを交互に行なうように切換える時点をドラム内の温度が６０［℃］付近に達したところに定めたことを特徴とする
請求項１
【発明の詳細な説明】
　【０００１】
　【発明の属する技術分野】
　本発明はいわゆるドラム式の乾燥機に関する。
　【０００２】
　【発明が解決しようとする課題】
　従来より、いわゆるドラム式の乾燥機においては、乾燥容器としてドラムが具えられ、このドラム内に被乾燥物を収容して、該ドラムを回転駆動することにより被乾燥物を撹拌し、この状況でドラム内にファンとヒータとで生成した温風を供給することにより、上記被乾燥物を乾燥させるようになっている。
　【０００３】
　このものの場合、ドラムの回転による撹拌の機械力によって衣類に傷みを生じやすく、特にアクリルのセーターや、化繊のブラウス、ランジェリーといったデリケートな衣類の傷みが大きかった。
　【０００４】
　【０００５】
　本発明は上述の事情に鑑みてなされたものであり、
従ってその目的は、衣類を傷ませずに乾燥させることのできる乾燥機を提供するにある。
　【０００６】
　【課題を解決するための手段】
　上記目的を達成するために、
本発明の乾燥機においては、ドラム内にファンとヒータとで生成した温風を供給して被乾燥物を乾燥させるようにしたものにあって、上記ドラムとファンとを回転駆動する共通のモータと、このモータから上記ドラムへ至る伝動経路中に設けられて該ドラムにモータの逆転を伝えず正転のみを伝える一方向クラッチとを具備すると共に、モータを正転させた後、乾燥行程の後期に達した時点からモータを逆転させることと正転させることとを逆転時間及び正転時間をもって交互に行なう運転のコースを実行する制御をする制御装置を具備したことを特徴とする。
　【０００７】
　【０００８】
　【０００９】
　【００１０】
　
この手段によれば
逆転時間及び正転時間をもって
　【００１１】
　又、衣類を乾燥させた場合、衣類の乾燥度が９０［％］付近に達したところから糸屑が発生し始めるから、傷みが発生し始めると考えられる。よって、運転のコースでモータを逆転させることと正転させることとを交互に行なうように切換える時点を被乾燥物の乾燥度が９０［％］付近に達したところに定めることにより、衣類をより確実に傷ませずに乾燥させることができる。
　【００１２】
　更に、衣類を乾燥させた場合に糸屑が発生し始めるのは、ドラム内の温度ではこれが６０［℃］付近に達したところからであり、よって、運転のコースでモータを逆転させることと正転させることとを交互に行なうように切換える時点をドラム内の温度が６０［℃］付近に達したところに定めることにより、上述同様、衣類をより確実に傷ませずに乾燥させることができる。
　【００１３】
　そして、これらの場合、一方向クラッチとしては、モータからドラムへ至る伝動経路中のプーリ取付部分に設けられ、くさび面部を有するハウジングと、このハウジング内にホルダによって配設保持されたローラと、このローラを前記くさび面部側であって且つモータの正転方向に付勢したスプリングとを具備するものが考えられる。
　【００１４】
　【００１５】
　【００１６】
　【発明の実施の形態】
　以下、本発明の一実施例につき、図面を参照して説明する。
　まず図２には乾燥機全体の構成を示しており、外箱１の前面部の中央部に衣類出入口２を形成し、且つ、この出入口２を開閉する扉３を枢設している。外箱１の内部には、乾燥容器であるドラム４を収容しており、このドラム４の前面部の径大な開口部５を、外箱１内の上記衣類出入口２周囲の部分に固定したドラム前支え６で回転可能に支承し、後面部の中心部に設けたシャフト７を、外箱１の後部に架設したドラム後支え８で同じく回転可能に支承している。
　【００１７】
　又、このドラム４の後面部とドラム後支え８との間には、ケーシング９を配設しており、このケーシング９内には、ファン１０をドラム４の上記シャフト７に回転可能に取付けて配設している。ここで、ファン１０は、前翼部１０ａと後翼部１０ｂとを有する両翼形で、後述のごとく熱交換器及び除湿器としても機能するようになっており、ドラム４外の外箱１内上部に配設したモータ１１により、プーリ１２、ベルト１３、及びプーリ１４を介して回転駆動されるようになっている。又、ドラム４は同モータ１１によりプーリ１５及びベルト１６を介して回転駆動されるようになっており、従って、それらがモータ１１からドラム４へ至る伝動経路として機能するようになっている。モータ１１は正逆両方向に回転可能なものである。
　【００１８】
　図３は上記モータ１１からドラム４へ至る伝動経路中のプーリ１５取付部分に設けた一方向クラッチ１７を示している。この一方向クラッチ１７は、詳細には図４及び図５に示すように、ハウジング１８と、このハウジング１８内にホルダ１９によって配設保持された多数のローラ２０と、この各ローラ２０を図４に矢印Ａで示す時計回りの方向に付勢したスプリング２１とから成っており、そのハウジング１８をプーリ１５の内周部に固着し、ローラ２０をモータ１１の回転軸２２の外周面に当接させている。
　【００１９】
　ハウジング１８の内周面にはモータ１１の回転軸２２の外周面との距離が短いくさび面部１８ａとその距離が長い遊び面部１８ｂとを形成しており、この構成で、回転軸２２が図４に矢印Ａで示す時計回りの方向に回転（モータ１１が正転）したとき、各ローラ２０がスプリング２１の付勢力のままにくさび面部１８ａに圧接して回転軸２２とプーリ１５とが連継状態となり、モータ１１の回転（正転）力がプーリ１５に、ひいてはドラム４に伝えられる。
　【００２０】
　これに対して、回転軸２２が図５に矢印Ｂで示す反時計回りの方向に回転（モータ１１が逆転）したとき、各ローラ２０はスプリング２１の付勢力に抗してくさび面部１８ａから離れ遊び面部１８ｂ側に移動して回転軸２２とプーリ１５とが非連継状態となり、モータ１１の回転（逆転）力がプーリ１５に、ひいてはドラム４に伝えられなくなる。
　【００２１】
　前記ケーシング９内の後半部は、中央部が、ドラム後支え８に形成した外気通し口２３と、外箱背板２４の中央部に形成した外気取入口２５とにより機外と連通し、下部が、外箱背板２４の下部に形成した外気戻し口２６により同じく機外と連通している。
　【００２２】
　他方、ケーシング９内の前半部は、中央部が、ケーシング９に形成した吸気口２７と、ドラム４の後部中央部に形成した排気口２８とにより、フィルタ２９を間に置いてドラム４内と連通し、下部が、ケーシング９に形成した吐気口３０と、これに接続した連結ダクト３１、この連結ダクト３１に接続したヒータダクト３２、及びドラム前支え６の前部下部に形成した温風吹出口３３により、ドラム４内と連通している。ヒータダクト３２内にはヒータ３４を配設しており、特にこのヒータ３４はＰＴＣすなわち正の温度特性を有するヒータから成っている。
　【００２３】
　ここで、ファン１０が正転及び逆転のいずれであろうと回転されれば、前翼部１０ａにより、ドラム４内の空気がフィルタ２９を通って、ドラム４の排気口２８からケーシング９の吸気口２７、ケーシング９内前半部、吐気口３０、連結ダクト３１、ヒータダクト３２を順に通り、ドラム４内に戻される。又、後翼部１０ｂにより、機外の空気が外箱背板２４の外気取入口２５から外気通し口２３、ケーシング９内後半部、外気戻し口２６を順に通って外箱１外に戻されるもので、これらにより、ケーシング９内ではドラム４内の空気と外箱１外の空気とがファン１０を境に接して熱交換され、ドラム４内の空気の除湿が行なわれる。しかして、その除湿された空気は、ヒータダクト３２を通る過程で、ヒータ３４に熱せられて温風と化し、ドラム４内に供給されて被乾燥物（図示せず）の乾燥に供する。
　【００２４】
　ドラム前支え６の下部には、対を成す電極３５をドラム４内に臨ませて取付けている。この電極３５には、ドラム４内に収容された被乾燥物がドラム４の回転による撹拌で接触するものであり、その接触ごとに電極３５間の抵抗値が非接触時より低く変化するから、この電極３５間の単位時間当たりの抵抗値の変化の回数（電極３５から発せられる信号の数）を測定することにより、被乾燥物の量を検知することが可能である。従って、電極３５は被乾燥物量検知手段として機能するようになっている。
　【００２５】
　又、この場合、電極３５間の抵抗値は、接触する被乾燥物の乾燥が進むに連れて大きくなるものであり、図６はそれを分圧抵抗により電圧に換えて測定した結果を表わしている。この図６に示すように、被乾燥物の乾燥が進むと、この場合、測定電圧は次第に小さくなるものであり、従って、その電圧値を測定することにより、被乾燥物の乾燥度を検知することが可能であり、従って、電極３５は乾燥度検知手段としても機能するようになっている。
　【００２６】
　更に、図７には前記外箱１の前面部に設けた操作パネル３６を示している。この操作パネル３６には電源の入り切りを選択する「電源」スイッチ３７と、運転のスタート及び停止を選択する「スタート」スイッチ３８とを設けると共に、運転のコースを「標準」と「念入り」及び「デリケート」の中から選択する「コース切換」スイッチ３９、ヒータ３４の発熱を「強」及び「弱」の中から選択する「ヒータ切換」スイッチ４０、ドラム停止モードコースを選択する「ドラム停止」スイッチ４１、運転のタイマ時間を３０［分］，６０［分］，９０［分］の中から選択する「タイマセット」スイッチ４２を、それぞれの選択結果を表わす表示ＬＥＤ４３，４４，４５，４６とともに設けている。
　【００２７】
　一方、図８には制御装置４７を示している。この制御装置４７はマイクロコンピュータから成るもので、電源４８から整流回路４９を介して必要な直流電源が供給されるようになっている。又、この制御装置４７には、クロックパルス発生回路５０からクロックパルスが入力されるようになっており、そのほか、ドラム４内から排出される温風の温度を検知すべく前記ケーシング９の吸気口２７部に配設した温度検知手段である温度センサ５１（図２参照）から温度検知信号が入力され、前記操作パネル３６の「スタート」スイッチ３８を初めとした各種操作スイッチより成るスイッチ入力部５２から各種操作スイッチ信号が入力され、前記電極３５から被乾燥物の量と乾燥度とを示す信号が検知処理回路５３によりパルス信号化されて入力されるようになっている。
　【００２８】
　そして、それらの入力並びにあらかじめ記憶した制御プログラムに基づいて、制御装置４７は、前記ヒータ３４とモータ１１とを駆動するための駆動回路５４に駆動制御信号を与えるようになっており、更に、電源４８から上記ヒータ３４及びモータ１１へと至る回路には前記「電源」スイッチ３７を介挿接続している。
　【００２９】
　さて、上述のごとく構成したものの場合、運転を開始するに当たっては、まず「電源」スイッチ３７を操作することにより電源４８を投入する。次いで、「ドラム停止」スイッチ４１を操作することにより「ドラム停止モードコース」を選択し、その後に、「タイマセット」スイッチ４２を操作することにより運転のタイマ時間を３０［分］，６０［分］，９０［分］の中から選択し、ドラム４内に被乾燥物、特にこの場合、縫いぐるみ等を入れて、「スタート」スイッチ３８を操作する。
　【００３０】
　すると、制御装置４７は「ドラム停止モードコース」を図１の（ａ）に示すように実行するもので、この「ドラム停止モードコース」では、モータ１１は終始逆転される。これに対して、モータ１１からドラム４へ至る伝動経路中に設けた一方向クラッチ１７はドラム４にモータ１１の正転のみを伝え逆転を伝えないものであるから、ドラム４にはモータ１１の回転力が終始伝わらず、ドラム４は終始停止状態を呈す。
　【００３１】
　たゞし、ファン１０にはモータ１１の回転力が正転及び逆転の如何にかかわらず伝わるもので、従って、この場合、ファン１０は終始逆転し、同時にこの場合、ヒータ３４が「ヒータ切換」スイッチ４０で選択された「強」又は「弱」で発熱するので、ドラム４内にはそれらによって生成された温風が供給され、ドラム４内の被乾燥物、特にこの場合、縫いぐるみ等を乾燥させる。そして、設定されたタイマ時間の終了時に達すれば、モータ１１及びヒータ３４が断電されて運転を終了する。
　【００３２】
　これに対して、電源４８の投入後、「コース切換」スイッチ３９で「デリケート」コースを選択し、ドラム４内に被乾燥物、特にこの場合、アクリルのセーターや、化繊のブラウス、ランジェリーといったデリケートな衣類を入れて、「スタート」スイッチ３８を操作する。
　【００３３】
　すると、制御装置４７は図１の（ｂ）に示す「ドラム間欠回転モードコース」を実行するもので、この「ドラム間欠回転モードコース」では、モータ１１は終始、すなわち、乾燥行程の初期から最後まで、モータ１１を逆転させることと正転させることとを交互に行なう。これに対して、一方向クラッチ１７は前述のごとくドラム４にモータ１１の正転のみを伝え逆転を伝えないものであるから、ドラム４にはモータ１１の回転力が正転時にのみ伝わり、ドラム４は間欠的に回転される。なお、この場合のモータ１１の正転（ドラム４の回転）時間は逆転（ドラム４の停止）時間より短くしており、従って、ドラム４は長い停止時間の後に短い時間回転されることが繰返される。
　【００３４】
　又、この場合、ファン１０はモータ１１の正転に応じて正転し、逆転に応じて逆転するもので、そのいずれの場合にも、同時に、ヒータ３４が「弱」に自動設定されて発熱するので、ドラム４内にはそれらによって生成された低温の温風が供給され、ドラム４内の被乾燥物、特にこの場合、デリケートな衣類を乾燥させる。
　【００３５】
　更に、ファン１０のケーシング９は正転方向に渦巻き状を成していて、逆転方向には送風効率が低下し、風量が少なくなる。これに対して、ヒータ３４は、特に上記構成のものの場合、正の温度特性を有するものとしており、風量に応じて発熱を自己調整するから、風量が少なくなる逆転時にはその発熱を落として風の温度を一定にする。
　【００３６】
　しかして、この場合、電極３５で検知した被乾燥物の量に応じて運転が続けられ、同電極３５による乾燥度の検知により被乾燥物の乾燥が検知されれば、モータ１１及びヒータ３４が断電されて運転を終了する。
　【００３７】
　そして今一つ、電源４８の投入後、「コース切換」スイッチ３９で「標準」コースを選択し、ドラム４内に被乾燥物、特にこの場合、普通の衣類を入れて、「スタート」スイッチ３８を操作する。
　【００３８】
　すると、制御装置４７は図１の（ｃ）に示す「通常モードコース」を実行するもので、この「通常モードコース」では、モータ１１を乾燥行程の初期（予熱期間）から中期（恒温期間）まで正転させた後、後期に達した時点ｔから逆転させることと正転させることとを交互に行なう。従って、この場合、ドラム４は、一方向クラッチ１７により、乾燥行程の初期から中期まで回転され、後期に達した時点ｔから停止と回転を繰返して、間欠的に回転される。なお、この場合も、乾燥行程の後期に達した時点ｔからのモータ１１の正転時間は逆転時間より短くしており、従って、ドラム４は長い停止時間の後に短い時間回転されることが繰返される。
　【００３９】
　又、この場合、モータ１１を逆転させることと正転させることとを交互に行なうように切換える時点ｔ、すなわち、乾燥行程の後期に達したと判断する時点ｔは、具体的には、電極３５で検知する乾燥度が９０［％］に達したところとしており、それに代えて、温度センサ５１で検知するドラム４内の温度が６０［℃］に達したところとしても良い。
　【００４０】
　そして、この場合も、ファン１０はモータ１１の正転に応じて正転し、逆転に応じて逆転するもので、そのいずれの場合にも、同時に、ヒータ３４が「ヒータ切換」スイッチ４０で選択された「強」又は「弱」で発熱するので、ドラム４内にはそれらによって生成された温風が供給され、ドラム４内の被乾燥物、特にこの場合、普通の衣類を乾燥させる。しかして、この場合も、電極３５による乾燥度の検知により被乾燥物の乾燥が検知されれば、モータ１１及びヒータ３４が断電されて運転を終了する。
　【００４１】
　このように本構成のものでは、「ドラム停止モードコース」を実行することにより、モータ１１の逆転によって、ドラム４にモータ１１の回転力が伝えられず、ドラム４は停止したままで、このドラム４を停止させたまま乾燥運転が行なわれることにより、ドラム４内には専用の棚を設置することなく、従って、その棚に載り切れない大きな縫いぐるみ等でも収容して乾燥させることができる。又、専用の棚を設置する場合でも、ドラム４は停止したままであるから、載せた縫いぐるみ等がドラムに触れても、棚から落とすことなく具合良く乾燥させることができる。
　【００４２】
　しかも、この場合、モータ１１はドラム４の回転とファン１０の回転とに共通の１個を要するままであり、それぞれに専用の２個を要することがないので、コストも安く抑えることができる。
　【００４３】
　又、「ドラム間欠回転モードコース」を実行することにより、モータ１１の正転時にのみドラム４を回転させ得るもので、モータ１１の逆転時にはドラム４は回転されないから、被乾燥物にはドラム４の回転による撹拌の機械力が少なく及ぶものであり、よって、特にデリケートな衣類を傷ませずに乾燥させることができる。
　【００４４】
　更に、この場合、ファン１０が逆転時に風量が少なくなるのに対して、ヒータ３４を正の温度特性を有するものとしており、これによって、前述のごとくヒータ３４が風量に応じて発熱を自己調整するから、風量が少なくなる逆転時にはその発熱を落として風の温度を一定にし、よって、風の温度が高くなり過ぎるようなことがなく、デリケートな衣類を一層やさしく乾燥させることができる。
　【００４５】
　加えて、「通常モードコース」を実行することにより、ドラム４は乾燥行程の後期に達するまで正転し、達した時点から間欠回転されるもので、これにより、被乾燥物にはドラム４の回転による撹拌の機械力が最初連続的に及ぶものの、その後に間欠的に及ぶ。よって、この場合、普通の衣類を充分に、しかも、傷ませずに乾燥させることができる。
　【００４６】
　又、衣類を乾燥させた場合、衣類の乾燥度が９０［％］付近に達したところから糸屑が発生し始めるから、傷みが発生し始めると考えられる。よって、上記「通常モードコース」でモータ１１を逆転させることと正転させることとを交互に行なうように切換える時点を被乾燥物の乾燥度が９０［％］付近に達したところに定めた上記構成のものでは、衣類をより確実に傷ませずに乾燥させることができる。
　【００４７】
　更に、衣類を乾燥させた場合に糸屑が発生し始めるのは、ドラム内の温度ではこれが６０［℃］付近に達したところからであり、よって、通常モードコースでモータを逆転させることと正転させることとを交互に行なうように切換える時点をドラム内の温度が６０［℃］付近に達したところに定めることにより、上述同様、衣類をより確実に傷ませずに乾燥させることができる。
　【００４８】
　【発明の効果】
　本発明は以上説明したとおりのもので、下記の効果を奏する。
請求項１の乾燥機によれば、被乾燥物にドラムの回転による撹拌の機械力が最初連続的に及ぶものの、その後に間欠的に及ぶから、普通の衣類を充分に、しかも、傷ませずに乾燥させることができる。
　【００４９】
　【００５０】
　
請求項２
請求項３
　【００５１】
【図面の簡単な説明】
　【図１】
　本発明の一実施例を示す運転コース別のタイムチャート
　【図２】
　一部を切除した全体の縦断側面図
　【図３】
　一方向クラッチ部分の拡大縦断側面図
　【図４】
　一方向クラッチ部分の正転時状態の部分拡大縦断正面図
　【図５】
　一方向クラッチ部分の逆転時状態の部分拡大縦断正面図
　【図６】
　被乾燥物の乾燥度と検知電圧との関係を示す特性図
　【図７】
　操作パネルの正面図
　【図８】
　概略電気構成図
　【符号の説明】
　４はドラム、１０はファン、１１はモータ、１５はプーリ（伝動経路）、１７は一方向クラッチ、１８はハウジング、１９はホルダ、２０はローラ、２１はスプリング、３４はヒータ、３５は電極（乾燥度検知手段）、３９は「コース切換」スイッチ、４１は「ドラム停止」スイッチ、４７は制御装置、５１は温度センサ（温度検知手段）を示す。